(57)【要約】【課題】ロータの慣性力を低減して、ロータの回転性能を向上させることができる魚釣用スピニングリールを提供する。【解決手段】本発明の魚釣用スピニングリールでは、ハンドル操作に連動回転してロータ３と一体回転する駆動部８と、該駆動部８を支持するリール本体１の前部に設けた支持部１ａとの間に磁気シール機構１５０が形成される。また、リール本体１の前部が収容位置されるロータ３の筒状部３Ａに、径方向に貫通する開口部３Ｂが形成される。【選択図】図１
2011167186.tif 000002
【特許請求の範囲】
【請求項１】
リール本体に設けたハンドルの回転操作で釣糸案内部を有するロータを回転駆動して、スプールに釣糸を巻回する魚釣用スピニングリールであって、
ハンドル操作に連動回転して前記ロータと一体回転する駆動部と、該駆動部を支持するリール本体の前部に設けた支持部との間に磁気シール機構を形成するとともに、リール本体の前部が収容位置される前記ロータの筒状部に、径方向に貫通する開口部が形成されることを特徴とする魚釣用スピニングリール。
【請求項２】
前記リール本体の前部に装着された周壁を有する環状カバー体を更に備え、前記駆動部が貫通する前記カバー体の前部に前記磁気シール機構が設けられることを特徴とする請求項１に記載の魚釣用スピニングリール。
【請求項３】
前記カバー体の前面と略同一面上に前記磁気シール機構が突出することなく配置されることを特徴とする請求項２に記載の魚釣用スピニングリール。
【請求項４】
前記駆動部の一方向の回転を許容し他方向の回転を阻止する転がり式一方向クラッチを更に備え、前記磁気シール機構を構成する筒状の磁性体が前記一方向クラッチの内輪を兼ねていることを特徴とする請求項３に記載の魚釣用スピニングリール。
【請求項５】
リール本体に回転自在に支持されたハンドルの回転操作でスプールに釣糸を巻回可能とする魚釣用スピニングリールにおいて、前記リール本体の前部に装着される周壁を有するキャップ状のカバー体を備え、前記ハンドルの回転操作で連動回転する駆動部が貫通する前記カバー体に、磁石と、該磁石との間で磁気回路を形成する磁性体と、磁石と磁性体との間に保持される磁性流体とで構成される磁気シール機構を設けたことを特徴とする魚釣用スピニングリール。
【発明の詳細な説明】
【技術分野】
【０００１】
本発明は、リール本体に設けたハンドルの回転操作で釣糸案内部を有するロータを回転駆動して、スプールに釣糸を巻回する魚釣用スピニングリールに関する。
【背景技術】
【０００２】
魚釣用スピニングリールは、ハンドルの回転操作に連動回転するロータの釣糸案内部を介して釣糸をスプールに巻回する。
【０００３】
また、魚釣用スピニングリールは、他の魚釣用リールと同様、海水や淡水が付着・侵入し易い環境の厳しい屋外で使用されるため、特に、回転性能に支障を来たし易い駆動部材の支持部への防食対策が必要になってくる。
【０００４】
そのため、リール本体の前部の駆動部材の軸受部を抜け止めする抜け止め部材に、ロータのボス部に接触する接触リップ部を有するシール部材を設けて、駆動部材の軸受部の防水を図るようにする構造が特許文献１に開示されている。
【先行技術文献】
【特許文献】
【０００５】
【特許文献１】特許第４０５７２５４号
【発明の概要】
【発明が解決しようとする課題】
【０００６】
しかしながら、特許文献１に開示されるような構造では、弾性体製のシール部材が回転体（ロータの前記ボス部）と接触するため、シール部材と回転体との摩擦力（シール抵抗）が大きくなり、それによって、慣性力が大きくなる。したがって、ロータの回転感度やスムーズ性など、回転性能に欠けるという問題がある。
【０００７】
また、魚釣用スピニングリールのロータには、スプールに釣糸を案内する釣糸案内部、釣糸案内部を釣糸巻き取り状態と釣糸放出状態とに切換保持する付勢保持機構、釣糸放出状態から釣糸巻き取り状態に復帰させる反転機構、釣糸放出状態から釣糸巻き取り状態への反転復帰に伴って釣糸を釣糸案内部へ案内移行するベール等、様々な装置や部品が装着されるため、ロータ自体の重量が増大してしまって、慣性力が大きくなる。そして、このような重量増加による慣性力の増大も、前記シール抵抗と共に、ロータの回転感度を低下させる要因となっている。
【０００８】
本発明は、前記事情に着目してなされたものであり、その目的とするところは、ロータの慣性力を低減して、ロータの回転性能を向上させることができる魚釣用スピニングリールを提供することにある。
【課題を解決するための手段】
【０００９】
前記課題を解決するために、請求項１に記載の発明は、リール本体に設けたハンドルの回転操作で釣糸案内部を有するロータを回転駆動して、スプールに釣糸を巻回する魚釣用スピニングリールであって、ハンドル操作に連動回転して前記ロータと一体回転する駆動部と、該駆動部を支持するリール本体の前部に設けた支持部との間に磁気シール機構を形成するとともに、リール本体の前部が収容位置される前記ロータの筒状部に、径方向に貫通する開口部が形成されることを特徴とする。
【００１０】
この請求項１に記載の発明によれば、ロータに設けられる前記開口部によってロータの重量が軽減される（ロータの軽量化）とともに、従来の摩擦抵抗を伴うシール機構に代えて磁気シール機構を採用したことによりシール抵抗が低減されるため（すなわち、ロータ重量の軽減とシール抵抗の低減との相乗作用により）、ロータの回転慣性力が低減され、したがって、ロータの回転性能が向上される。また、この回転性能の向上により、ロータの回転および停止の操作感度が従来に比して飛躍的に向上し、釣糸の張力変化に敏感に反応できるようになるため、魚信感度が格段に向上される。
【００１１】
また、請求項２に記載の発明は、請求項１に記載の発明において、前記リール本体の前部に装着された周壁を有する環状カバー体を更に備え、前記駆動部が貫通する前記カバー体の前部に前記磁気シール機構が設けられることを特徴とする。
【００１２】
この請求項２に記載の発明によれば、請求項１に記載の発明と同様の作用効果が得られるとともに、駆動部が貫通するカバー体の前部に磁気シール機構を設けたため、磁気シール機構を効率的に且つ効果的に配設することがきる。また、周壁を有する環状カバー体によって効果的にシール空間を形成できるため、磁気シール機構との相乗作用によりシール効果が格段に向上される。
【００１３】
また、請求項３に記載の発明は、請求項２に記載の発明において、前記カバー体の前面と略同一面上に前記磁気シール機構が突出することなく配置されることを特徴とする。
【００１４】
この請求項３に記載の発明によれば、請求項２に記載の発明と同様の作用効果が得られるとともに、カバー体の前面と略同一面上に磁気シール機構が突出することなく配置されるため、リール本体を軸方向にコンパクトにすることができ、リール本体の小型化、ひいては、リール本体の軽量化に繋がり、ロータ慣性力の更なる低減を図ることも可能になる。
【００１５】
また、請求項４に記載の発明は、請求項３に記載の発明において、前記駆動部の一方向の回転を許容し他方向の回転を阻止する転がり式一方向クラッチを更に備え、前記磁気シール機構を構成する筒状の磁性体が前記一方向クラッチの内輪を兼ねていることを特徴とする。
【００１６】
この請求項４に記載の発明によれば、請求項３に記載の発明と同様の作用効果が得られるとともに、磁気シール機構を構成する筒状の磁性体が一方向クラッチの内輪を兼ねているため、部材点数が削減され、リール本体の軽量化を図ることができ、したがって、ロータ慣性力の更なる低減を図ることができる。
【発明の効果】
【００１７】
本発明の魚釣用スピニングリールによれば、シール抵抗の低減およびロータ重量の軽減に伴うロータ慣性力の低減によってロータの回転性能を向上させることができる。
【図面の簡単な説明】
【００１８】
【図１】本発明の第１の実施形態に係る魚釣用スピニングリールの一部断面を伴う側面図である。
【図２】図１の魚釣用スピニングリールの要部拡大断面図である。
【図３】図２のＡ−Ａ線に沿う断面図である。
【図４】図３のＢ−Ｂ線に沿う断面図である。
【図５】図４の要部拡大断面図である。
【図６】図１の魚釣用スピニングリールのロータ部分の側面図である。
【図７】図６のＣ−Ｃ線に沿う断面図である。
【図８】カバー体の前面と略同一面上に磁気シール機構が突出することなく配置された状態を明確に示す図４に対応する断面図である。
【図９】図１の魚釣用スピニングリールのロータ部分の斜視図である。
【図１０】本発明の第２の実施形態に係る魚釣用スピニングリールの図４に対応する断面図である。
【図１１】図１０の要部拡大断面図である。
【図１２】ロータの本体部に開口部を伴わない魚釣用スピニングリールの一部断面を伴う図１に対応する側面図である。
【図１３】図１２の魚釣用スピニングリールの図２に対応する要部拡大断面図である。
【図１４】図１３のＤ−Ｄ線に沿う断面図である。
【図１５】図１４のＥ−Ｅ線に沿う断面図である。
【図１６】図１５の要部拡大断面図である。
【図１７】図１２の魚釣用スピニングリールのロータ部分の図６に対応する側面図である。
【図１８】図１７のＦ−Ｆ線に沿う断面図である。
【図１９】カバー体の前面と略同一面上に磁気シール機構が突出することなく配置された状態を明確に示す図１５に対応する断面図である。
【図２０】図１２の魚釣用スピニングリールのロータ部分の斜視図である。
【発明を実施するための形態】
【００１９】
以下、本発明に係る魚釣用リールの実施形態について、添付図面を参照して具体的に説明する。
【００２０】
図１〜図９は本発明の第１の実施形態に係る魚釣用スピニングリールを示している。図１に示されるように、本実施形態に係るスピニングリールのリール本体１（例えば金属から形成される）には、釣竿に装着されるリール脚２が一体形成されており、その前方には、回転可能に支持されたロータ３と、ロータ３の回転運動と同期して前後動可能に支持されたスプール４とが配設されている。
【００２１】
ロータ３は、スプール４の周囲を回転する一対（図１には一方だけが図示されている）の腕部３ａを備えており、各腕部３ａの夫々の前端部には、ベール３ｂの基端部を取り付けたベール支持部材３ｃが釣糸巻取り位置と釣糸放出位置との間で回動自在に支持されている。なお、ベール３ｂの一方の基端部は、ベール支持部材３ｃに一体的に設けられた釣糸案内部３ｄ（図６参照）に取り付けられている。
【００２２】
リール本体１内には、ハンドル軸５が回転可能に支持されており、その突出端部には、ハンドル６が取り付けられている。また、ハンドル軸５には、巻き取り駆動機構が係合しており、この巻き取り駆動機構は、ハンドル軸５に一体回転可能に装着された駆動ギヤ７と、この駆動ギヤ７に噛合するピニオン歯部８ａを有する共にハンドル軸５と直交する方向に延出し且つ内部に軸方向に延在する空洞部が形成された回転駆動軸（駆動部）としてのピニオン８とを備えている。
【００２３】
図２に明確に示されるように、ピニオン８は、ピニオン歯部８ａの前側と後側とがそれぞれ、リール本体１に一体形成した支持部（リール本体１の前部に設けた支持部）１ａに嵌合支持される対応する軸受９，９’により、リール本体１内に回転可能に支持されている。また、ピニオン８は、スプール４側に向けて延出しており、その先端部において、ロータ３が取り付けられている。なお、ピニオン歯部８ａの前側の軸受９は、一端がピニオン歯部８ａの前端に突き当てられており、後述する転がり式一方向クラッチ１０との間に介挿される抜け止め部材３７によって他端が軸方向で抜け止めされる。一方、ピニオン歯部８ａの後側の軸受９’は、ピニオン歯部８ａの後端とリール本体１の支持部１ａとの間で挟持されることにより軸方向で固定される。
【００２４】
また、ピニオン歯部８ａの前側に配置した軸受９の前方側のピニオン８上には、転がり式一方向クラッチ１０が取り付けられ（配置され）ており、リール本体１の外部に設けられた切換操作レバー１１を回動操作することで一方向クラッチ１０を作動させ、ハンドル６（ロータ３）の釣糸繰出し方向の逆回転を防止する公知の逆転防止機構（ストッパ）を構成するようになっている。
【００２５】
ピニオン８の内部に形成された空洞部には、ハンドル軸５と直交する方向に延出し、先端側にスプール４を装着したスプール軸１２が軸方向に移動可能に挿通されている。また、ピニオン８には、スプール４（スプール軸１２）を前後往復動させるための公知のスプール往復動装置１３が係合している。
【００２６】
このような構成を有する魚釣用スピニングリールにおいて、ハンドル６により巻き取り操作を行うと、ロータ３が巻き取り駆動機構を介して回転駆動される共に、スプール４がスプール往復動装置１３を介して前後往復動されるので、釣糸は、前記釣糸案内部を介してスプール４の巻回胴部４ａに均等に巻回されるようになる。
【００２７】
図２に示されるように、前記転がり式一方向クラッチ１０は、ピニオン８に対して回り止め嵌合された内輪２１と、内輪２１の外側に配された保持器２７と、保持器２７の外側に配された外輪２５とを有しており、後述する略筒状（略環状）の保護カバー（環状カバー体）５０によってその外周が包囲されて保護されている。
【００２８】
外輪２５の内周面には、保持器２７によって保持された複数の転動部材２８がフリーに回転できるフリー回転領域と、複数の転動部材の回転を阻止する楔領域とが形成されており、各転動部材２８は、保持器２７に設けられたバネ部材によって楔領域に付勢されている。
【００２９】
また、外輪２５は、それに対するピニオン８の挿通によってほぼ閉塞される閉塞端部２５ｃと反対側の開放端部２５ｂとを有する略筒状体を形成しており、軸受９と転がり式一方向クラッチ１０との間に介挿された前記抜け止め部材３７によってリール本体１に対する回転が阻止されている。図示しないが、具体的には、例えば、環状リングの形態を成す抜け止め部材３７の周方向の一部には径方向外側に突出する複数の係合部３７ａが互いに周方向に間隔を隔てて設けられており、これらの係合部が対応する位置に設けられた外輪２５の切り欠き状の回り止め係止部２５ａに係止されている。そして、前記係合部に取着されるネジをリール本体１に螺合することにより、外輪２５が前記係合部を介してリール本体１に対して回り止めされている。なお、本実施形態において、外輪２５は、その開放端部２５ｂを軸受９に対向させた状態で配置されている。そのため、本実施形態では、リールの軸方向寸法を短くするべく、抜け止め部材３７が開放端部２５ｂを通じて筒状の外輪２５内に嵌め込まれている（図２参照）。この場合、環状の抜け止め部材３７は、その内周側の抜け止め部３７ｂが軸受９の外輪９ａと当接することにより、軸受９の軸方向の抜け止めを行なう。
【００３０】
このような構成の一方向クラッチ１０において、ピニオン８と共に内輪２１が正回転（ロータ３が釣糸巻取り方向に回転）すると、保持器２７の転動部材２８が外輪２５のフリー回転領域に位置され、そのため、内輪２１の回転力が外輪２５に伝達されず（外輪２５によって阻止されず）、したがって、ピニオン８と共にロータ３が支障なく回転する。これに対して、ピニオン８と共に内輪２１が逆回転（ロータ８が釣糸繰出し方向に回転）しようとすると、保持器２７の転動部材２８が外輪２５の楔領域に位置するため、内輪２１の回転力が外輪２５に伝達され、これがストッパとなって、ピニオン８およびロータ３の回転（逆回転）が阻止される。
【００３１】
また、このような一方向クラッチ１０を伴う逆転防止機構の作動は前記切換操作レバー１１によって切り換え制御できるようになっている。具体的には、図２に示されるように、切換操作レバー１１は、リール本体１内でスプール軸１２と略平行に延びる切り換えカム３３を有しており、この切り換えカム３３の先端突部３３ａは保持器２７の径方向に延びる延出部２７ａの係合孔５２に係合して連結されている。したがって、この構成では、切換操作レバー１１を回動操作することにより、切り換えカム３３を介して保持器２７を回動させれば、保持器２７に保持される転動部材２８をバネ部材の付勢力に抗して外輪２５のフリー回転領域に強制的に保持させる逆転可能位置（ロータ３を逆回転させることができる位置）と、転動部材をバネ部材の付勢力によって外輪２５の楔領域に位置させるようにする逆転防止位置（ロータ３の逆回転を防止する位置）との間で選択的に切り換えることができる。
【００３２】
図４および図５に明確に示されるように、一方向クラッチ１０を外周から保護する保護カバー（環状カバー体）５０は、例えば樹脂から形成されてメッキ処理されており、リール本体１に対して着脱自在に取り付けられている。具体的には、保護カバー５０は、径方向外側に位置する外側囲繞部（リール本体１の前部に装着された外側周壁）５０ａと、径方向内側に位置する内側囲繞部（リール本体１の前部に装着された内側周壁）５０ｂと、これらの囲繞部５０ａ，５０ｂ同士を接続する前端接続部５０ｃとを有しており、前端接続部５０ｃから挿脱可能に差し込まれるボルト１３９を外側囲繞部５０ａと内側囲繞部５０ｂとの間の空間内に導入して一方向クラッチ１０の外周側で延びるリール本体１の延出部１ｂの端部のネジ穴１４０に螺合することにより、リール本体１に対して所謂袋ネジ形態で着脱自在に取り付けられる。この場合、ネジ穴１４０に対するボルト１３９の螺合は、内側囲繞部５０ｂの端面がリール本体１の延出部１ｂの端面に突き当たるまで行なう。これにより、リール本体１には、ハンドル６の操作で連動回転する駆動部材としてのピニオン８（及び／又は、これと一体に回転する内輪２１）を部分的に収容する収容凹部２４０が凹状に形成される。また、この収容凹部２４０は、一方向クラッチ１０を内部に位置決め状態で収容保持するとともに、スプール４側に面する前方側に開口２４０ａを有している。また、この開口２４０ａには水分や異物等が侵入する虞があるため、開口部２４０ａをシールする後述する磁気シール機構１５０が設けられる。
【００３３】
なお、外側囲繞部５０ａの端面とリール本体１との間にはＯリング等のシール部材１７０が介挿される。また、保護カバー５０の外側囲繞部５０ａの外周面には、保護カバー５０をリール本体１に対して着脱する際に指で持ち易くするために使用される凹凸条５９が軸方向に向けて複数形成されている。
【００３４】
収容凹部２４０内をシールする磁気シール機構１５０は、ピニオン８を所定の隙間を存して囲繞するように配される磁石１５１と、これを保持する保持部材（磁気リング）１５２と、ピニオン８に回り止め嵌合されて一方向クラッチ１０に嵌入されて磁石１５１との間で磁気回路を形成する（したがって、少なくとも保持部材１５２と対向する軸方向長さを有する）筒状の磁性体としての内輪２１と、磁石５１と内輪２１との間に保持される磁性流体１５５とにより１つのユニットとして構成される。すなわち、本実施形態では、磁気シール機構１５０を構成する筒状の磁性体が一方向クラッチの内輪２１を兼ねている。
【００３５】
磁石１５１は、ピニオン８を挿通させるように、所定の厚さを具備してリング状に形成されており、保持部材１５２は、そのように形成された磁石１５１を両側から挟持して保持するように構成されている。
【００３６】
なお、保持部材１５２は、リング状の磁石１５１を挟持して保持し且つその内側に周方向に沿って凹所１５１Ａが生じるように形成されており、磁石１５１と共に保護カバー５０によって支持される。具体的には、保持部材１５２は、その一方側で対面接触するボルト１３９の頭部とその他方側で対面接触する保護カバー５０の段部との間に挟圧保持されており、保護カバー５０と保持部材１５２との間にはシール部材１６９が介挿される。また、保持部材１５２は、磁性体としての内輪２１の外表面との間に僅かな隙間Ｇが生じるように構成されている。
【００３７】
磁性体としての内輪２１は、鉄系の材料、例えば、鋼材、ＳＵＳ４３０、ＳＵＳ４４０Ｃ、ＳＵＳ６３０等によって形成されており、これにより、磁石１５１によって、これを保持する保持部材１５２および内輪２１との間に磁気回路が形成されるようになっている。
【００３８】
また、磁性流体１５５は、例えばＦｅ３Ｏ４のような磁性微粒子を、界面活性剤およびベースオイルに分散させて構成されたものであり、粘性があって磁石を近づけると反応する特性を備えている。このため、磁性流体１５５は、磁石１５１、これを保持する保持部材１５２、および、磁性体としての内輪２１によって形成される磁気回路によって、前記凹所１５１Ａ内および前記隙間Ｇ内に安定して保持され、開口部２４０ａをシールする。
【００３９】
以上から分かるように、本実施形態では、磁気シール機構１５０は、駆動部としてのピニオン８が貫通する保護カバー（カバー体）５０の前部に設けられるとともに、図４および図５、特に図８に明確に示すように保護カバー５０の前面と略同一面上に突出することなく配置されている。
【００４０】
また、本実施形態において、ロータ３は、リール本体１の前部が収容位置される（収容状態は図１を参照）略円筒状に形成された本体部（筒状部）３Ａを備えており、その両側に略１８０°間隔おいて前述した一対の腕部３ａが形成されている。図６に明確に示されるように、各腕部３ａは、本体部３Ａの後部（リール本体側）から径方向外方に突き出した連結部３ａ´と共に本体部３Ａに一体形成されており、軸方向に延出している。これにより、本体部３Ａと各腕部３ａとの間には隙間が形成され、この部分に、図１に示されるスプール４のスカート部４ｃが位置するようになっている。
【００４１】
また、一対の腕部３ａには補強部材９０が設けられている。補強部材９０は、図６および図７に示すように、一対の腕部３ａの側部からロータ３の本体部３Ａの後部に向けて延出すると共に、本体部３Ａに接続されている。この場合、補強部材１００は、一対の腕部３ａのそれぞれの両側部に設けておくことが好ましく、両側部に設けられた補強部材９０は、好ましくは略同一の形状とされ、腕部３ａの側部の前部（支持部材３ｃが設けられる部分）から基部に向かって延出し、基部側に移行するに連れて、次第に離間する形状となっている。すなわち、両腕部３ａが対向する方向の側面視において、略ハの字型となる形状に形成されており、これにより腕部３ａの基部の両サイドでは、補強部材９０との間で隙間Ｇが存在するようになっている。なお、隙間Ｇは、側面視において次第に拡がるようになっている。
【００４２】
また、本実施形態では、補強部材９０は、図６に示すように、一対の腕部３ａ間で橋設された構造となっており、その中間部９０Ａがロータ３の本体部３Ａの後部に一体形成で接続されている（図７参照）。このため、補強部材９０は、一対の腕部３ａ間において、切れることなく連続形成されており、リール本体１側に向けて凸状に湾曲形成されている。
【００４３】
なお、本実施形態では、図６に示すように、補強部材９０は、一対の腕部３ａ間でリール本体側に向けて湾曲した形状となっており、少なくとも最下端部分（中間部９０Ａの領域）については、スプール４が往復動して最もリール本体側に移動した際、スプール４スカート部４ｃの後縁部（Ｐで示すライン）よりもリール本体側に位置するようにしている。より具体的には、ラインＰで示すように、スプール５が最もリール本体側に移動したとき、スカート４ｃの後端の両側の一部が重なる程度になっており、スプール４が往復動しても、その前後動の状況は、補強部材９０によって遮られることはなく、容易に視認できるようになっている。
【００４４】
上記した構成によれば、腕部３ａの側部とロータ３の本体部３Ａの後部との間を補強部材９０で接続したことで、釣糸の張力によって腕部３ａに大きな負荷が作用しても、補強部材９０を通じて応力を分散させることが可能となり腕部の変形等を防止することが可能となる。また、図７に示すように、腕部３ａの基部を厚肉化することなく、補強部材９０を梁構造のようにして、適度に隙間Ｇのような空隙部を設けておくことができるため、腕部の強度維持を図りながら、可及的な軽量化を図ることが可能となる。
【００４５】
また、上記構成に加え、本実施形態では、ロータ３の本体部３Ａに、径方向に貫通する開口部３Ｂや切欠き開口部３Ｃ等の開口部が形成されている。開口部３Ｂは、矩形状で、腕部３ａが形成される位置に対して略９０°の対向する位置に形成されており、開口部３Ｂの両サイドに、三角形状の切欠き開口部３Ｃが形成されている。このように、開口部３Ｂや切欠き開口部３Ｃ等の開口部は、腕部３ａの強度を低下させないように、腕部形成位置と異なる位置に形成されている。そして、開口部３Ｂの下端位置に、補強部材９０の中間部９０Ａが一体的に連結されている。
【００４６】
以上説明したように、本実施形態の魚釣用スピニングリールは、ロータ３に設けられる開口部３Ｂ（切欠き開口部３Ｃ）によってロータ３の重量が軽減される（ロータ３の軽量化）とともに、従来の摩擦抵抗を伴うシール機構に代えて磁気シール機構１５０を採用したことによりシール抵抗が低減されるため（すなわち、ロータ重量の軽減とシール抵抗の低減との相乗作用により）、ロータ３の回転慣性力が低減され、したがって、ロータ３の回転性能が向上される。また、この回転性能の向上により、ロータ３の回転および停止の操作感度が従来に比して飛躍的に向上し、釣糸の張力変化に敏感に反応できるようになるため、魚信感度が格段に向上される。
【００４７】
また、本実施形態では、ピニオン８が貫通する保護カバー５０の前部に磁気シール機構１５０を設けたため、磁気シール機構１５０を効率的に且つ効果的に配設することがきる。また、周壁５０ａ，５０ｂを有する保護カバー５０によって効果的にシール空間を形成できるため、磁気シール機構１５０との相乗作用によりシール効果が格段に向上される。
【００４８】
また、本実施形態では、保護カバー５０の前面と略同一面上に磁気シール機構１５０が突出することなく配置されるため、リール本体１を軸方向にコンパクトにすることができ、リール本体１の小型化、ひいては、リール本体１の軽量化に繋がり、ロータ慣性力の更なる低減を図ることも可能になる。
【００４９】
また、本実施形態では、磁気シール機構１５０を構成する筒状の磁性体が一方向クラッチの内輪２１を兼ねているため、部材点数が削減され、リール本体１の軽量化を図ることができ、したがって、ロータ慣性力の更なる低減を図ることができる。
【００５０】
図１０および図１１は本発明の第２の実施形態に係る魚釣用スピニングリールを示している。図示のように、本実施形態に係るスピニングリールでは、外側囲繞部５０ａの外周面の凹凸条５９に代えて、手動回転操作を容易ならしめるローレット加工５９’が外側囲繞部５０ａの外周面に軸方向に向けて施されている。また、保護カバー５０は、その外側囲繞部５０ａの端部の雌ネジ部１６０がリール本体１の雄ネジ部１６２に螺合されることにより、リール本体１に対して着脱自在に取り付けられる。更に、磁気シール機構１５０の前側の保持部材１５２は、ボルト２００を介して保護カバー５０の前端接続部５０ｃに取り付けられているので、磁気シール機構１５０（内輪２１を除く）をユニット化できる。なお、それ以外の構成は第１の実施形態と同一である。したがって、このような構成によっても第１の実施形態と同様の作用効果を得ることができる。
【００５１】
なお、以上説明した実施形態では、ロータ３の筒状部である本体部３Ａに開口部３Ｂが設けられているが、図１２〜図２０には開口部３Ｂを伴わない本体部３Ａを有する魚釣用スピニングリールの構造が示されている。これらの構造は、開口部３Ｂを伴わない本体部３Ａにおいてもキャップ状の環状カバー体である保護カバー５０それ自体に有用性が見出されることを示している。すなわち、図１２〜図２０に示される構造は、ロータ３の本体部３Ａに開口部３Ｂが設けられていない点を除き第１の実施形態の構造と同一であり、したがって、同一の参照符号を付してその説明を省略するが、これらの図から分かるように、周壁５０ａ，５０ｂを有するキャップ状のカバー体（保護カバー）５０に磁気シール機構１５０が設けられることにより、不必要な磁性部材の吸着を防止して、ロータ３の回転性能やシール効果の低下を防止できるとともに、シール機構１５０や一方向クラッチ１０の収容形態がコンパクトになり、リール全体の小型化に寄与できる。
【符号の説明】
【００５２】
１  リール本体
１ａ  支持部
３  ロータ
３ｄ  釣糸案内部
３Ａ  本体部（筒状部）
３Ｂ  開口部
３Ｃ  切欠き開口部
４  スプール
６  ハンドル
８  ピニオン（駆動部）
１０  転がり式一方向クラッチ
２１  内輪（筒状の磁性体）
５０  保護カバー（環状カバー体）
１５０  磁気シール機構
【図１】
2011167186.tif 000003
【図２】
2011167186.tif 000004
【図３】
2011167186.tif 000005
【図４】
2011167186.tif 000006
【図５】
2011167186.tif 000007
【図６】
2011167186.tif 000008
【図７】
2011167186.tif 000009
【図８】
2011167186.tif 000010
【図９】
2011167186.tif 000011
【図１０】
2011167186.tif 000012
【図１１】
2011167186.tif 000013
【図１２】
2011167186.tif 000014
【図１３】
2011167186.tif 000015
【図１４】
2011167186.tif 000016
【図１５】
2011167186.tif 000017
【図１６】
2011167186.tif 000018
【図１７】
2011167186.tif 000019
【図１８】
2011167186.tif 000020
【図１９】
2011167186.tif 000021
【図２０】
2011167186.tif 000022